(57)【要約】【課題】ダイニング空間の利用者が、その住宅の立地環境、天候、季節などによる採光条件に左右されず、睡眠の質を向上させることができる住宅および住宅の建築設計方法を提供する。【解決手段】住宅は、調色および調光可能であって住宅のダイニング空間に配置された複数の照明部と、前記複数の照明部を集中制御する集中制御部と、前記ダイニング空間を画定する壁部とを備え、前記壁部は、前記壁部の内装仕上げ材としての第１高反射率部を備え、前記集中制御部は、前記複数の照明部から照射された光、および、前記複数の照明部から照射され、前記第１高反射率部により反射された光によって、相関色温度が５０００ケルビン以上であって、前記ダイニング空間の利用者の眼の位置の鉛直面照度である眼前照度が４００ルクス以上の光環境が前記ダイニング空間に形成されるように、前記複数の照明部を集中制御する第１モードを有する。【選択図】図１
2020072022.tif 000002
【特許請求の範囲】
【請求項１】
調色および調光可能であって住宅のダイニング空間に配置された複数の照明部と、
前記複数の照明部を集中制御する集中制御部と、
前記ダイニング空間を画定する壁部とを備え、
前記壁部は、前記壁部の内装仕上げ材としての第１高反射率部を備え、
前記集中制御部は、
前記複数の照明部から照射された光、および、前記複数の照明部から照射され、前記第１高反射率部により反射された光によって、相関色温度が５０００ケルビン以上であって、前記ダイニング空間の利用者の眼の位置の鉛直面照度である眼前照度が４００ルクス以上の光環境が前記ダイニング空間に形成されるように、前記複数の照明部を集中制御する第１モードを有する、
住宅。
【請求項２】
前記第１高反射率部の可視光反射率が０．４以上である、
請求項１に記載の住宅。
【請求項３】
前記集中制御部は、
前記複数の照明部から照射された光、および、前記複数の照明部から照射され、前記第１高反射率部により反射された光によって、前記相関色温度が５０００ケルビン未満または前記眼前照度が４００ルクス未満の光環境が前記ダイニング空間に形成されるように、前記複数の照明部を集中制御する第２モードを更に有し、
前記第１モードと前記第２モードとの切り替えを行う入力操作を受け付ける操作部を更に備える、
請求項１または請求項２に記載の住宅。
【請求項４】
前記第１モードには、手動モードが含まれ、
前記集中制御部は、前記第１モードの前記手動モード時に、前記操作部に対する入力操作に応じて、前記相関色温度が５０００ケルビン以上かつ前記眼前照度が４００ルクス以上の光環境が前記ダイニング空間に形成される前記複数の照明部の点灯状態と、前記複数の照明部の消灯状態との切り替えを実行し、
前記集中制御部は、前記第２モード時に、前記操作部に対する入力操作に応じて、前記相関色温度が５０００ケルビン未満または前記眼前照度が４００ルクス未満の光環境が前記ダイニング空間に形成される前記複数の照明部の点灯状態と、前記複数の照明部の消灯状態との切り替えを実行する、
請求項３に記載の住宅。
【請求項５】
前記第１モードには、自動モードが更に含まれ、
前記第１モードの前記自動モード時には、前記集中制御部が、
予め設定された第１時刻に、前記複数の照明部を、前記相関色温度が５０００ケルビン以上かつ前記眼前照度が４００ルクス以上の光環境が前記ダイニング空間に形成される点灯状態にし、
次いで、予め設定された第２時刻に、前記複数の照明部を点灯状態から消灯状態に切り替える、
請求項４に記載の住宅。
【請求項６】
前記複数の照明部には、直接照明である第１照明部と、間接照明である第２照明部とが含まれ、
前記第２照明部から照射された光は、直射光として前記鉛直面に到達せず、前記第１高反射率部によって反射された反射光として前記鉛直面に到達する、
請求項１から請求項５のいずれか一項に記載の住宅。
【請求項７】
前記ダイニング空間を画定する窓部と、
前記窓部を覆う付帯部とを更に備え、
前記付帯部は、前記付帯部の内装仕上げ材として、可視光反射率が０．４以上である第２高反射率部を備え、
前記複数の照明部から照射された光、前記複数の照明部から照射され、前記第１高反射率部により反射された光、および、前記複数の照明部から照射され、前記第２高反射率部により反射された光によって、前記相関色温度が５０００ケルビン以上かつ前記眼前照度が４００ルクス以上の光環境が前記ダイニング空間に形成される、
請求項２に記載の住宅。
【請求項８】
前記ダイニング空間を画定する天井部を更に備え、
前記天井部は、前記天井部の内装仕上げ材として、可視光反射率が０．４以上である第３高反射率部を備え、
前記複数の照明部から照射された光、前記複数の照明部から照射され、前記第１高反射率部により反射された光、前記複数の照明部から照射され、前記第２高反射率部により反射された光、および、前記複数の照明部から照射され、前記第３高反射率部により反射された光によって、前記相関色温度が５０００ケルビン以上かつ前記眼前照度が４００ルクス以上の光環境が前記ダイニング空間に形成される、
請求項７に記載の住宅。
【請求項９】
前記ダイニング空間の利用者の眼の位置は、
前記ダイニング空間に配置されたダイニングテーブルの着座位置に着座している前記ダイニング空間の利用者の眼の位置である、
請求項１に記載の住宅。
【請求項１０】
調色および調光可能な複数の照明部を住宅のダイニング空間に配置する照明部配置ステップと、
前記複数の照明部を集中制御する集中制御部を設置する集中制御部設置ステップと、
前記ダイニング空間を画定する壁部を設置する壁部設置ステップと、
前記壁部の内装仕上げ材としての第１高反射率部を設置する第１高反射率部設置ステップとを備える住宅の建築設計方法であって、
前記集中制御部は、
前記複数の照明部から照射された光、および、前記複数の照明部から照射され、前記第１高反射率部により反射された光によって、相関色温度が５０００ケルビン以上であって、前記ダイニング空間の利用者の眼の位置の鉛直面照度である眼前照度が４００ルクス以上の光環境が前記ダイニング空間に形成されるように、前記複数の照明部を集中制御する第１モードを有する、
住宅の建築設計方法。
【請求項１１】
調色および調光可能な複数の照明部を住宅のダイニング空間に配置する照明部配置ステップと、
前記複数の照明部を集中制御する集中制御部を設置する集中制御部設置ステップと、
前記ダイニング空間を画定する壁部を設置する壁部設置ステップと、
前記壁部の内装仕上げ材としての第１高反射率部を設置する第１高反射率部設置ステップとを備える住宅の建築設計方法であって、
前記集中制御部は、
前記複数の照明部から照射された光、および、前記複数の照明部から照射され、前記第１高反射率部により反射された光によって、ＪＩＳ照明基準総則（ＪＩＳ  Ｚ  ９１１０−２０１０）に定められている前記ダイニング空間の推奨照度を満足する光環境であって、前記ダイニング空間の利用者の通常の生活に適した光環境が前記ダイニング空間に形成されるように、前記複数の照明部を集中制御する通常モードと、
前記複数の照明部から照射された前記通常モードより強い光、および、前記複数の照明部から照射され、前記第１高反射率部により反射された前記通常モードより強い光によって、前記ダイニング空間の利用者の睡眠の質を向上させるために必要な光環境が前記ダイニング空間に形成されるように、前記複数の照明部を集中制御する睡眠質向上モードとを有し、
前記通常モードと前記睡眠質向上モードとの切り替えを行う入力操作を受け付ける操作部を設置する操作部設置ステップを更に備える、
住宅の建築設計方法。
【発明の詳細な説明】
【技術分野】
【０００１】
本発明は住宅および住宅の建築設計方法に関する。
【背景技術】
【０００２】
ＪＩＳ照明基準総則（ＪＩＳ  Ｚ  ９１１０−２０１０）においては、空間の用途などに応じて下記のような推奨照度［Ｌｘ］が定められている。
ダイニング  全般      ５０［Ｌｘ］
ダイニング  食卓    ３００［Ｌｘ］
リビング    全般      ５０［Ｌｘ］
リビング    団らん  ２００［Ｌｘ］
【０００３】
従来においては、住宅の照明設計を行う場合に、時間帯に関係なく、部屋の用途や作業に応じた水平面照度が用いられてきた。また、睡眠に影響する照明条件としては、就寝前の照明について、照度を落とした暖色系の照明を使うことが望ましいと考えられてきた。
【０００４】
特許文献１には、日中の活動に応じて就寝前後の期間における適切な照明環境を実現する照明システムが記載されている。特許文献１に記載された照明システムには、光を照射する照明装置と、照明装置を点灯制御する制御部とが備えられている。特許文献１に記載された照明システムでは、ユーザの日中の集中度を示す入力信号に基づいて、ユーザの就寝前後における照明装置の点灯パターンが設定される。
ところで、上述したように、特許文献１に記載された技術は、ユーザの就寝前後に照明装置に対して適用され、ユーザの起床後の時間帯には、照明装置に対して適用されない。
そのため、特許文献１に記載された技術によっては、ユーザの睡眠の質を向上させるために適切なユーザの起床後の時間帯の光環境を形成することができない。
【０００５】
特許文献２には、人が生活する場所に細やかな光環境を生成する照明システムが記載されている。特許文献２に記載された照明システムには、複数の照明部と、複数の照明部の点灯を制御する制御部とが備えられている。特許文献２に記載された照明システムでは、サーカディアンリズムを整えるために、夕食予定前時間帯における照明制御、夕食予定後時間帯における照明制御、および、起床予定前時刻から起床予定時刻までの時間帯における照明制御が行われる。
ところで、上述したように、特許文献２に記載された技術は、夕食予定前時間帯、夕食予定後時間帯、および、起床予定前時刻から起床予定時刻までの時間帯における照明制御に対して適用され、起床後の時間帯における照明制御に対して適用されない。
そのため、特許文献２に記載された技術によっては、睡眠の質を向上させるために適切な起床後の時間帯の光環境を形成することができない。
【０００６】
特許文献３には、仕事場所の就業時間における生体リズムに好ましい光環境と省エネルギー化とを両立させる照明制御装置が記載されている。特許文献３に記載された照明制御装置は、オフィスに設けられた照明負荷の相関色温度を調節する調色、および照明負荷の光出力を可変として、オフィスの照度を調整する調光を行う。特許文献３に記載された照明制御装置では、午後の時間帯に、照明負荷の相関色温度およびオフィスの照度が低下させられる。
ところで、上述したように、特許文献３に記載された技術は、就業時間帯の仕事場所の照明負荷に対して適用され、住宅における起床後の時間帯には適用されない。
そのため、特許文献３に記載された技術によっては、睡眠の質を向上させるために適切な起床後の時間帯の光環境を形成することができない。
【０００７】
特許文献４には、人間の生体リズムにとって好ましい光環境を生成する照明システムが記載されている。特許文献４に記載された照明システムには、高照度光と中照度光と低照度光とを得ることができる照明器具と、照明器具の点灯制御を行う制御装置とが備えられている。特許文献４に記載された照明システムでは、朝からほぼ夕刻までの第１時間帯に高照度光が生じさせられ、夕刻から夜就寝するまでの第２時間帯に中照度光が生じさせられ、夜就寝後から朝までの第３時間帯に低照度光が生じさせられる。
ところで、上述したように、特許文献４に記載された技術では、相関色温度が制御対象になっていない。
そのため、特許文献４に記載された技術によっては、睡眠の質を向上させるために適切な光環境を形成することができない。
【０００８】
非特許文献１には、午前中の照度が３００Ｌｘ以下の場合に、夜間の高照度暴露によりメラトニン分泌が抑制され、午前中の照度が９００Ｌｘ以上の場合に、高照度暴露によるメラトニン分泌抑制が発生しづらい旨が記載されている。
一方、非特許文献１には、実生活環境での具体的な方法論について記載されていない。
そのため、非特許文献１に記載された技術によっては、睡眠の質を向上させるために適切な光環境を形成することができない。
【先行技術文献】
【特許文献】
【０００９】
【特許文献１】特開２０１６−０５８３２２号公報
【特許文献２】特開２０１６−１２６９１９号公報
【特許文献３】特開２０１３−１８２８２０号公報
【特許文献４】特開２０００−２５２０８４号公報
【非特許文献】
【００１０】
【非特許文献１】Kozaki他、「Effects of day-time exposure to different light intensities on light-induced melatonin suppression at night」、Journal of Physiological Anthropology (2015) 34:27
【発明の概要】
【発明が解決しようとする課題】
【００１１】
上述した問題点に鑑み、本発明は、ダイニング空間の利用者が、その住宅の立地環境、天候、季節などによる採光条件に左右されず、睡眠の質を向上させることができる住宅および住宅の建築設計方法を提供することを目的とする。
【課題を解決するための手段】
【００１２】
本発明者は、鋭意研究において、相関色温度が５０００ケルビン以上であって、ダイニング空間の利用者の眼の位置の鉛直面照度である眼前照度が４００ルクス以上の光環境をダイニング空間に形成することによって、ダイニング空間の利用者が昼間に太陽光を浴びなくても、ダイニング空間の利用者の睡眠の質が向上することを見い出した。
つまり、本発明者は、上述した光環境をダイニング空間に形成することによって、昼間に太陽光を浴びた場合と同様の睡眠の質の向上が、ダイニング空間の利用者に生じることを見い出したのである。
【００１３】
本発明の一態様は、調色および調光可能であって住宅のダイニング空間に配置された複数の照明部と、前記複数の照明部を集中制御する集中制御部と、前記ダイニング空間を画定する壁部とを備え、前記壁部は、前記壁部の内装仕上げ材としての第１高反射率部を備え、前記集中制御部は、前記複数の照明部から照射された光、および、前記複数の照明部から照射され、前記第１高反射率部により反射された光によって、相関色温度が５０００ケルビン以上であって、前記ダイニング空間の利用者の眼の位置の鉛直面照度である眼前照度が４００ルクス以上の光環境が前記ダイニング空間に形成されるように、前記複数の照明部を集中制御する第１モードを有する住宅である。
【００１４】
本発明の一態様の住宅では、前記第１高反射率部の可視光反射率が０．４以上であってもよい。
【００１５】
本発明の一態様の住宅では、前記集中制御部は、前記複数の照明部から照射された光、および、前記複数の照明部から照射され、前記第１高反射率部により反射された光によって、前記相関色温度が５０００ケルビン未満または前記眼前照度が４００ルクス未満の光環境が前記ダイニング空間に形成されるように、前記複数の照明部を集中制御する第２モードを更に有し、前記第１モードと前記第２モードとの切り替えを行う入力操作を受け付ける操作部を更に備えてもよい。
【００１６】
本発明の一態様の住宅では、前記第１モードには、手動モードが含まれ、前記集中制御部は、前記第１モードの前記手動モード時に、前記操作部に対する入力操作に応じて、前記相関色温度が５０００ケルビン以上かつ前記眼前照度が４００ルクス以上の光環境が前記ダイニング空間に形成される前記複数の照明部の点灯状態と、前記複数の照明部の消灯状態との切り替えを実行し、前記集中制御部は、前記第２モード時に、前記操作部に対する入力操作に応じて、前記相関色温度が５０００ケルビン未満または前記眼前照度が４００ルクス未満の光環境が前記ダイニング空間に形成される前記複数の照明部の点灯状態と、前記複数の照明部の消灯状態との切り替えを実行してもよい。
【００１７】
本発明の一態様の住宅では、前記第１モードには、自動モードが更に含まれ、前記第１モードの前記自動モード時には、前記集中制御部が、予め設定された第１時刻に、前記複数の照明部を、前記相関色温度が５０００ケルビン以上かつ前記眼前照度が４００ルクス以上の光環境が前記ダイニング空間に形成される点灯状態にし、次いで、予め設定された第２時刻に、前記複数の照明部を点灯状態から消灯状態に切り替えてもよい。
【００１８】
本発明の一態様の住宅では、前記複数の照明部には、直接照明である第１照明部と、間接照明である第２照明部とが含まれ、前記第２照明部から照射された光は、直射光として前記鉛直面に到達せず、前記第１高反射率部によって反射された反射光として前記鉛直面に到達してもよい。
【００１９】
本発明の一態様の住宅は、前記ダイニング空間を画定する窓部と、前記窓部を覆う付帯部とを更に備え、前記付帯部は、前記付帯部の内装仕上げ材として、可視光反射率が０．４以上である第２高反射率部を備え、前記複数の照明部から照射された光、前記複数の照明部から照射され、前記第１高反射率部により反射された光、および、前記複数の照明部から照射され、前記第２高反射率部により反射された光によって、前記相関色温度が５０００ケルビン以上かつ前記眼前照度が４００ルクス以上の光環境が前記ダイニング空間に形成されてもよい。
【００２０】
本発明の一態様の住宅は、前記ダイニング空間を画定する天井部を更に備え、前記天井部は、前記天井部の内装仕上げ材として、可視光反射率が０．４以上である第３高反射率部を備え、前記複数の照明部から照射された光、前記複数の照明部から照射され、前記第１高反射率部により反射された光、前記複数の照明部から照射され、前記第２高反射率部により反射された光、および、前記複数の照明部から照射され、前記第３高反射率部により反射された光によって、前記相関色温度が５０００ケルビン以上かつ前記眼前照度が４００ルクス以上の光環境が前記ダイニング空間に形成されてもよい。
【００２１】
本発明の一態様の住宅では、前記ダイニング空間の利用者の眼の位置は、前記ダイニング空間に配置されたダイニングテーブルの着座位置に着座している前記ダイニング空間の利用者の眼の位置であってもよい。
【００２２】
本発明の一態様は、調色および調光可能な複数の照明部を住宅のダイニング空間に配置する照明部配置ステップと、前記複数の照明部を集中制御する集中制御部を設置する集中制御部設置ステップと、前記ダイニング空間を画定する壁部を設置する壁部設置ステップと、前記壁部の内装仕上げ材としての第１高反射率部を設置する第１高反射率部設置ステップとを備える住宅の建築設計方法であって、前記集中制御部は、前記複数の照明部から照射された光、および、前記複数の照明部から照射され、前記第１高反射率部により反射された光によって、相関色温度が５０００ケルビン以上であって、前記ダイニング空間の利用者の眼の位置の鉛直面照度である眼前照度が４００ルクス以上の光環境が前記ダイニング空間に形成されるように、前記複数の照明部を集中制御する第１モードを有する、住宅の建築設計方法である。
【００２３】
本発明の一態様は、調色および調光可能な複数の照明部を住宅のダイニング空間に配置する照明部配置ステップと、前記複数の照明部を集中制御する集中制御部を設置する集中制御部設置ステップと、前記ダイニング空間を画定する壁部を設置する壁部設置ステップと、前記壁部の内装仕上げ材としての第１高反射率部を設置する第１高反射率部設置ステップとを備える住宅の建築設計方法であって、前記集中制御部は、前記複数の照明部から照射された光、および、前記複数の照明部から照射され、前記第１高反射率部により反射された光によって、ＪＩＳ照明基準総則（ＪＩＳ  Ｚ  ９１１０−２０１０）に定められている前記ダイニング空間の推奨照度を満足する光環境であって、前記ダイニング空間の利用者の通常の生活に適した光環境が前記ダイニング空間に形成されるように、前記複数の照明部を集中制御する通常モードと、前記複数の照明部から照射された前記通常モードより強い光、および、前記複数の照明部から照射され、前記第１高反射率部により反射された前記通常モードより強い光によって、前記ダイニング空間の利用者の睡眠の質を向上させるために必要な光環境が前記ダイニング空間に形成されるように、前記複数の照明部を集中制御する睡眠質向上モードとを有し、前記通常モードと前記睡眠質向上モードとの切り替えを行う入力操作を受け付ける操作部を設置する操作部設置ステップを更に備える、住宅の建築設計方法である。
【発明の効果】
【００２４】
本発明によれば、ダイニング空間の利用者が、その住宅の立地環境、天候、季節などによる採光条件に左右されず、睡眠の質を向上させることができる住宅および住宅の建築設計方法を提供することができる。
【図面の簡単な説明】
【００２５】
【図１】第１実施形態の住宅の一例を示す図である。
【図２】第１実施形態の住宅の構成例を示す断面図である。
【図３】第１実施形態の住宅の照明部と集中制御部と操作部との関係の一例を示す機能ブロック図である。
【図４】第１実施形態の住宅の建築設計方法の一例を説明するためのフローチャートである。
【図５】第２実施形態の住宅の一例を示す図である。
【図６】第２実施形態の住宅の照明部と集中制御部との関係の一例を示す機能ブロック図である。
【発明を実施するための形態】
【００２６】
本発明の住宅および住宅の建築設計方法の実施形態の説明の前に、本発明に至った経緯などについて説明する。
「２０１５年  国民生活時間調査報告書」（https://www.nhk.or.jp/bunken/research/yoron/pdf/20160217_1.pdf）によれば、有識者の１日（平日）のうちの約６割が在宅時間であり、在宅時間のうちの約５割が睡眠時間であると言える。住宅から睡眠にアプローチできることは多く、今後も健康付加価値に向けた住宅開発が続くことから、本発明者は、「睡眠」にフォーカスすることが重要であると考えた。
例えばライフスタイルの夜型化などのように、現代人の生活環境が変化している。また、例えば、ＺＥＨ（ネット・ゼロ・エネルギー・ハウス）が普及し、住宅の断熱性能を向上させるために住宅の開口面積が低下する等、現代の住宅環境が変化している。一方で、日中に眠気を感じる人が多い、睡眠で休養が十分にとれない人が多い等、睡眠の問題が増加している。そのため、本発明者は、生体リズムの改善が必要であると考え、睡眠環境としての住環境の見直しが必要であると考えた。
照明環境の明るさを評価する方法として、従来においては、水平面照度を用いることが一般的であった。一方で、水平面照度は、人間が感じる明るさ感に一致しない。そのため、本発明者は、実際に人間の眼に届く光の強さ「輝度（顔面照度、眼前照度）」での設計が重要であると考えた。
また、従来においては、午前中の光暴露が睡眠に影響を及ぼす旨が明らかにされている。
【００２７】
上述した点に鑑み、本発明者は、照明装置から照射される光が形成する人工的な光環境によって、昼間に太陽光を浴びない人の睡眠の質を向上させることができるか否かの検証実験を行った。
詳細には、本発明者は、人の睡眠の質を向上させるためには、一日の光環境の履歴が重要であると考えた。また、本発明者は、住宅に形成される人工的な光環境によって住人の睡眠の質を向上させるためには、住人の滞在時間が長いダイニング空間に人工的な光環境を形成する必要があると考えた。
そこで、本発明者は、ダイニング空間に形成される人工的な光環境によって、昼間に太陽光の暴露を抑制したダイニング空間の利用者の睡眠の質を向上させることができるか否かの検証実験を行った。
この検証実験において、被験者は、６時３０分に起床し、２３時３０分に就寝した。人工的な光環境を形成する照明装置として、調色および調光が可能なＬＥＤ（Light Emitting Diode）照明装置を使用した。
【００２８】
この検証実験の第１条件では、９時００分から１５時００分の時間帯に、相関色温度が５０００ケルビン以上であって、被験者の眼の位置の鉛直面照度（眼前照度）が４００ルクス以上の光環境が形成されるように、照明装置を点灯した。
第１条件で照明装置を点灯した翌朝の被験者のメラトニン分泌量は、第１条件で照明装置を点灯する日の朝（つまり、第１条件で照明装置を点灯する前）の被験者のメラトニン分泌量よりも低下した。詳細には、第１条件では、被験者の夜のメラトニン分泌量が高くなり、被験者の昼のメラトニン分泌量が低くなるという正常なホルモン分泌が促される（睡眠リズムが整えられる）ことが確認された。すなわち、第１条件では、９時００分から１５時００分の時間帯に照明装置を点灯したことによって、被験者の睡眠の質が向上した。
【００２９】
この検証実験の第２条件では、９時００分から１５時００分の時間帯に、相関色温度が５０００ケルビン未満または眼前照度が４００ルクス未満の光環境が形成されるように、照明装置を点灯した。
第２条件で照明装置を点灯した翌朝の被験者のメラトニン分泌量は、第２条件で照明装置を点灯する日の朝（つまり、第２条件で照明装置を点灯する前）の被験者のメラトニン分泌量と同程度になった。すなわち、第２条件では、９時００分から１５時００分の時間帯に照明装置を点灯したことによる被験者の睡眠の質の向上が確認できなかった。
【００３０】
上述したように、本発明者は、検証実験において、相関色温度が５０００ケルビン以上であって、ダイニング空間の利用者の眼の位置の鉛直面照度である眼前照度が４００ルクス以上の光環境をダイニング空間に形成することによって、ダイニング空間の利用者が昼間に太陽光を浴びなくても、ダイニング空間の利用者の睡眠の質が向上することを見い出した。
つまり、本発明者は、上述した第１条件の光環境をダイニング空間に形成することによって、昼間に太陽光を浴びた場合と同様の睡眠の質の向上が、ダイニング空間の利用者に生じることを見い出した。
【００３１】
＜第１実施形態＞
以下、本発明の住宅および住宅の建築設計方法の実施形態について、添付図面を参照して説明する。
図１は第１実施形態の住宅１の一例を示す図である。図２は第１実施形態の住宅１の構成例を示す断面図である。詳細には、図２（Ａ）は住宅１のダイニング空間ＤＳに配置されたダイニングテーブルＤＴの着座位置ＳＰに着座しているダイニング空間ＤＳの利用者ＵＳの左側から見た住宅１の断面図である。図２（Ｂ）は利用者ＵＳの前側から見た住宅１の断面図である。図３は第１実施形態の住宅１の照明部１１Ａ、１１Ｂ、１１Ｃと集中制御部１２と操作部１８との関係の一例を示す機能ブロック図である。
図１〜図３に示す例では、住宅１が、例えば複数の照明部１１Ａ、１１Ｂ、１１Ｃと、集中制御部１２と、壁部１３と、天井部１４と、窓部１５と、付帯部１６と、床部１７と、操作部１８とを備えている。住宅１のダイニング空間ＤＳは、例えば床部１７と天井部１４と壁部１３と窓部１５とによって画定される。
【００３２】
図１〜図３に示す例では、住宅１がダイニング空間ＤＳに照明部１１Ａ、１１Ｂ、１１Ｃを備えているが、他の例では、住宅１がダイニング空間ＤＳに照明部１１Ｃを備えていなくてもよい。更に他の例では、住宅１がダイニング空間ＤＳに照明部１１Ａ、１１Ｂ、１１Ｃ以外の照明部（図示せず）を備えていてもよい。
【００３３】
図１〜図３に示す例では、天井部１４が、天井部１４の内装仕上げ材として、可視光反射率が０．４以上である高反射率部１４Ａを備えている。高反射率部１４Ａの可視光反射率は０．６以上であることがより好ましい。後述する眼前照度は、住宅１に備えられる照明部１１Ａ、１１Ｂ、１１Ｃの出力と、高反射率部１４Ａの可視光反射率などの室内表面の可視光反射率との組合せによって調整される。相関色温度や眼前照度を高めれば内装仕上げ材の可視光反射率を考慮しなくても本発明の効果は得られる。可視光反射率が一定値以上の内装仕上げ材を使用することによって、照明部１１Ａ、１１Ｂ、１１Ｃの出力を不必要に高める必要がなくなるので、照明部１１Ａ、１１Ｂ、１１Ｃの設備費用などを抑制することができる。
他の例では、天井部１４が高反射率部１４Ａを備えていなくてもよい。
【００３４】
図１〜図３に示す例では、壁部１３が、壁部１３の内装仕上げ材として、可視光反射率が０．４以上である高反射率部１３Ａを備えている。高反射率部１３Ａの可視光反射率は０．６以上であることがより好ましい。
他の例では、高反射率部１３Ａの可視光反射率が０．４未満であってもよい。
【００３５】
図１〜図３に示す例では、窓部１５が、例えばカーテン、ロールスクリーン、ブラインドなどのような付帯部１６によって覆われている。付帯部１６は、付帯部１６の内装仕上げ材として、可視光反射率が０．４以上である高反射率部１６Ａを備えている。高反射率部１６Ａの可視光反射率は０．６以上であることがより好ましい。
他の例では、住宅１がダイニング空間ＤＳに窓部１５を備えていなくてもよい。あるいは、住宅１がダイニング空間ＤＳに付帯部１６を備えていなくてもよい。あるいは、住宅１のダイニング空間ＤＳに備えられている付帯部１６が、高反射率部１６Ａを備えていなくてもよい。
【００３６】
図１〜図３に示す例では、照明部１１Ａが、調色および調光が可能な例えばＬＥＤ照明装置であり、ダイニング空間ＤＳを画定する天井部１４に配置されている。照明部１１Ａは、例えば直接照明装置である。図２（Ａ）および図２（Ｂ）に示すように、照明部１１Ａは、例えば、直射光によってダイニングテーブルＤＴを照らすダウンライトである。
照明部１１Ｂは、調色および調光が可能な例えばＬＥＤ照明装置であり、ダイニング空間ＤＳを画定する天井部１４に配置されている。照明部１１Ｂは、例えば間接照明装置である。図２（Ａ）に示すように、照明部１１Ｂからの直射光は、壁部１３に照射される。照明部１１Ｂから照射され、壁部１３の高反射率部１３Ａにより反射された光は、ダイニングテーブルＤＴの着座位置ＳＰに着座している利用者ＵＳの顔を前側から照らす。
照明部１１Ｃは、調色および調光が可能な例えばＬＥＤ照明装置であり、ダイニング空間ＤＳを画定する天井部１４に配置されている。照明部１１Ｃは、例えば間接照明装置である。図２（Ｂ）に示すように、照明部１１Ｃからの直射光は、付帯部１６に照射される。照明部１１Ｃから照射され、付帯部１６の高反射率部１６Ａにより反射された光は、利用者ＵＳの顔を左側から照らす。
照明部１１Ａ、１１Ｂ、１１Ｃは、例えば出力１００Ｗ型である。
【００３７】
図１〜図３に示す例では、集中制御部１２が、複数の照明部１１Ａ、１１Ｂ、１１Ｃに接続されており、複数の照明部１１Ａ、１１Ｂ、１１Ｃを集中制御する。詳細には、集中制御部１２は、例えば複数の照明部１１Ａ、１１Ｂ、１１Ｃの点灯を集中制御する。集中制御部１２は、第１モードと、第２モードとを有する。
第１モード時に、集中制御部１２は、照明部１１Ａから照射された光、照明部１１Ａから照射され、天井部１４の高反射率部１４Ａにより反射された光、照明部１１Ｂから照射され、壁部１３の高反射率部１３Ａにより反射された光、および、照明部１１Ｃから照射され、付帯部１６の高反射率部１６Ａにより反射された光によって、相関色温度が５０００ケルビン以上であって、利用者ＵＳの眼の位置の鉛直面ＶＰの照度である眼前照度が４００ルクス（Ｌｘ）以上（詳細には、例えば１０００ルクス以下）の光環境がダイニング空間ＤＳに形成されるように、複数の照明部１１Ａ、１１Ｂ、１１Ｃの点灯を集中制御する。
詳細には、「利用者ＵＳの眼の位置」とは、図２（Ａ）および図２（Ｂ）に示すように、ダイニング空間ＤＳに配置されたダイニングテーブルＤＴの着座位置ＳＰに着座している利用者ＵＳの眼の位置である。
【００３８】
第２モード時には、集中制御部１２は、照明部１１Ａから照射された光、照明部１１Ａから照射され、天井部１４の高反射率部１４Ａにより反射された光、照明部１１Ｂから照射され、壁部１３の高反射率部１３Ａにより反射された光、および、照明部１１Ｃから照射され、付帯部１６の高反射率部１６Ａにより反射された光によって、相関色温度が５０００ケルビン未満または眼前照度が４００ルクス未満の光環境がダイニング空間ＤＳに形成されるように、複数の照明部１１Ａ、１１Ｂ、１１Ｃの点灯を集中制御する。
つまり、集中制御部１２は、第２モード時に、ＪＩＳ照明基準総則（ＪＩＳ  Ｚ  ９１１０−２０１０）に定められているダイニング空間ＤＳの推奨照度を満足する光環境であって、利用者ＵＳの通常の生活に適した光環境がダイニング空間ＤＳに形成されるように、複数の照明部１１Ａ、１１Ｂ、１１Ｃを点灯する。
一方、第１モード時には、利用者ＵＳの睡眠の質を向上させるために必要な光環境がダイニング空間ＤＳに形成されるように、集中制御部１２は、第２モード時より強い光を複数の照明部１１Ａ、１１Ｂ、１１Ｃに照射させる。それに伴い、第１モード時における天井部１４の高反射率部１４Ａからの反射光、壁部１３の高反射率部１３Ａからの反射光、および、付帯部１６の高反射率部１６Ａからの反射光は、第２モード時より強くなる。その結果、上述したように、第１モード時には、ダイニング空間ＤＳの利用者ＵＳの睡眠の質を向上させるために必要な光環境が、ダイニング空間ＤＳに形成される。
【００３９】
利用者ＵＳの眼の位置の鉛直面ＶＰの照度である眼前照度を４００ルクス以上に設定する手法としては、例えば下記の第１手法および第２手法がある。
第１手法では、光学シミュレーションによって、住宅１の設計情報（ダイニング空間ＤＳの物理的な空間サイズ、照明部１１Ａ、１１Ｂ、１１Ｃの情報、天井部１４、壁部１３、床部１７、窓部１５の付帯部１６の可視光反射率の情報）から、ダイニングテーブルＤＴの着座位置ＳＰに着座している利用者ＵＳの眼の位置の鉛直面照度（眼前照度）が算定され、必要となる照明部１１Ａ、１１Ｂ、１１Ｃの出力条件が事前に設定される。
第２手法では、住宅１の建設竣工後、照明部１１Ａ、１１Ｂ、１１Ｃを点灯した状態で、照度計によって、上記の鉛直面照度を実測しながら、集中制御部１２の設定値が調整される。第２手法では、照明部１１Ａ、１１Ｂ、１１Ｃとして、出力に余裕のある仕様のものが、予め選定される。
【００４０】
詳細には、図２（Ａ）に示す例では、照明部１１Ｂから照射された光が、直射光として鉛直面ＶＰに到達せず、壁部１３の高反射率部１３Ａによって反射された反射光として鉛直面ＶＰに到達する。
同様に、図２（Ｂ）に示す例では、照明部１１Ｃから照射された光が、直射光として鉛直面ＶＰ（図２（Ａ）参照）に到達せず、付帯部１６の高反射率部１６Ａによって反射された反射光として鉛直面ＶＰに到達する。
【００４１】
住宅１が天井部１４の高反射率部１４Ａおよび付帯部１６の高反射率部１６Ａを備えていない他の例では、集中制御部１２が、第１モード時に、照明部１１Ａから照射された光、および、照明部１１Ｂから照射され、壁部１３の高反射率部１３Ａにより反射された光によって、相関色温度が５０００ケルビン以上かつ眼前照度が４００ルクス以上の光環境がダイニング空間ＤＳに形成されるように、複数の照明部１１Ａ、１１Ｂ、１１Ｃの点灯を集中制御する。
住宅１が天井部１４の高反射率部１４Ａを備えていない他の例では、集中制御部１２が、第１モード時に、照明部１１Ａから照射された光、照明部１１Ｂから照射され、壁部１３の高反射率部１３Ａにより反射された光、および、照明部１１Ｃから照射され、付帯部１６の高反射率部１６Ａにより反射された光によって、相関色温度が５０００ケルビン以上であって、利用者ＵＳの眼の位置の鉛直面ＶＰの照度である眼前照度が４００ルクス以上の光環境がダイニング空間ＤＳに形成されるように、複数の照明部１１Ａ、１１Ｂ、１１Ｃの点灯を集中制御する。
また、住宅１が天井部１４の高反射率部１４Ａおよび付帯部１６の高反射率部１６Ａを備えておらず、高反射率部１３Ａの可視光反射率が０．４未満である他の例では、集中制御部１２が、第１モード時に、照明部１１Ａから照射された光、および、照明部１１Ｂから照射され、壁部１３の高反射率部１３Ａにより反射された光によって、相関色温度が５０００ケルビン以上かつ眼前照度が４００ルクス以上の光環境がダイニング空間ＤＳに形成されるように、複数の照明部１１Ａ、１１Ｂ、１１Ｃの点灯を集中制御する。つまり、この例では、高反射率部１３Ａの可視光反射率が０．４以上である例よりも強い光が、複数の照明部１１Ａ、１１Ｂ、１１Ｃから照射される。
【００４２】
図１〜図３に示す例では、操作部１８が、集中制御部１２の第１モードと第２モードとの切り替えを行う入力操作などを受け付ける。操作部１８は、設定ボタン１８Ａ、１８Ｂ、１８Ｃ、１８Ｄと、スイッチ１８Ｅ、１８Ｆ、１８Ｇと、時刻設定部１８Ｈとを備えている。
図１〜図３に示す例では、設定ボタン１８Ａ、１８Ｂ、１８Ｃ、１８Ｄと、スイッチ１８Ｅ、１８Ｆ、１８Ｇと、時刻設定部１８Ｈとが、１つの操作部１８にまとめられているが、他の例では、設定ボタン１８Ａ、１８Ｂ、１８Ｃ、１８Ｄと、スイッチ１８Ｅ、１８Ｆ、１８Ｇと、時刻設定部１８Ｈとが、複数の操作部（図示せず）に分散して配置されていてもよい。
【００４３】
図１〜図３に示す例では、設定ボタン１８Ａが、集中制御部１２を第１モードに設定するための利用者ＵＳの入力操作を受け付ける。
設定ボタン１８Ａが利用者ＵＳの入力操作を受け付けた場合には、集中制御部１２が第１モードに設定される。そのため、照明部１１Ａ、１１Ｂ、１１Ｃの点灯時には、照明部１１Ａ、１１Ｂ、１１Ｃが強い光を照射する。その結果、利用者ＵＳの睡眠の質を向上させる光環境がダイニング空間ＤＳに形成される。
詳細には、集中制御部１２の第１モード時に、照明部１１Ａ、１１Ｂ、１１Ｃが照射する強い光によって利用者ＵＳの睡眠の質を向上させる光環境がダイニング空間ＤＳに形成されるように、照明部１１Ａ、１１Ｂ、１１Ｃの調色および調光は予め設定（プリセット）されている。つまり、設定ボタン１８Ａは第１モードのプリセットボタンとして機能する。
【００４４】
図１〜図３に示す例では、設定ボタン１８Ｂが、集中制御部１２を第２モードに設定するための利用者ＵＳの入力操作を受け付ける。
設定ボタン１８Ｂが利用者ＵＳの入力操作を受け付けた場合には、集中制御部１２が第２モードに設定される。そのため、照明部１１Ａ、１１Ｂ、１１Ｃの点灯時には、照明部１１Ａ、１１Ｂ、１１Ｃが、第１モード時より弱い光を照射する。その結果、ダイニング空間ＤＳにおける利用者ＵＳの通常の生活に適した光環境がダイニング空間ＤＳに形成される。
詳細には、集中制御部１２の第２モード時に、照明部１１Ａ、１１Ｂ、１１Ｃが照射する光によって利用者ＵＳの通常の生活に適した光環境がダイニング空間ＤＳに形成されるように、照明部１１Ａ、１１Ｂ、１１Ｃの調色および調光は予め設定（プリセット）されている。つまり、設定ボタン１８Ｂは第２モードのプリセットボタンとして機能する。
【００４５】
図１〜図３に示す例では、集中制御部１２の第１モードに手動モードと自動モードとが含まれる。
設定ボタン１８Ｃは、集中制御部１２の第１モード時に、集中制御部１２を手動モードに設定するための利用者ＵＳの入力操作を受け付ける。設定ボタン１８Ｄは、集中制御部１２の第１モード時に、集中制御部１２を自動モードに設定するための利用者ＵＳの入力操作を受け付ける。
集中制御部１２の第１モード時に、設定ボタン１８Ｃが利用者ＵＳの入力操作を受け付けた場合には、集中制御部１２が第１モードの手動モードに設定される。集中制御部１２の第１モード時に、設定ボタン１８Ｄが利用者ＵＳの入力操作を受け付けた場合には、集中制御部１２が第１モードの自動モードに設定される。
【００４６】
図１〜図３に示す例では、スイッチ１８Ｅが、照明部１１Ａの点灯状態と消灯状態とを切り替えるための利用者ＵＳの入力操作を受け付ける。スイッチ１８Ｆが、照明部１１Ｂの点灯状態と消灯状態とを切り替えるための利用者ＵＳの入力操作を受け付ける。スイッチ１８Ｇが、照明部１１Ｃの点灯状態と消灯状態とを切り替えるための利用者ＵＳの入力操作を受け付ける。
集中制御部１２が第１モードの手動モードに設定されており、照明部１１Ａが消灯状態である場合に、スイッチ１８Ｅが利用者ＵＳの入力操作を受け付けると、集中制御部１２は照明部１１Ａを点灯状態にし、照明部１１Ａが強い光を照射する。
集中制御部１２が第１モードの手動モードに設定されており、照明部１１Ｂが消灯状態である場合に、スイッチ１８Ｆが利用者ＵＳの入力操作を受け付けると、集中制御部１２は照明部１１Ｂを点灯状態にし、照明部１１Ｂが強い光を照射する。
集中制御部１２が第１モードの手動モードに設定されており、照明部１１Ｃが消灯状態である場合、スイッチ１８Ｇが利用者ＵＳの入力操作を受け付けると、集中制御部１２は照明部１１Ｃを点灯状態にし、照明部１１Ｃが強い光を照射する。
詳細には、集中制御部１２が第１モードの手動モードに設定されている場合に、操作部１８のスイッチ１８Ｅ、１８Ｆ、１８Ｇに対する利用者ＵＳの入力操作に応じて、照明部１１Ａ、１１Ｂ、１１Ｃが点灯状態にされると、ダイニング空間ＤＳには、相関色温度が５０００ケルビン以上であって、利用者ＵＳの眼の位置の鉛直面ＶＰの照度（眼前照度）が４００ルクス以上の光環境が形成される。
【００４７】
次いで、スイッチ１８Ｅが利用者ＵＳの入力操作を再び受け付けると、集中制御部１２は照明部１１Ａを点灯状態から消灯状態に切り替える。
また、スイッチ１８Ｆが利用者ＵＳの入力操作を再び受け付けると、集中制御部１２は照明部１１Ｂを点灯状態から消灯状態に切り替える。
同様に、スイッチ１８Ｇが利用者ＵＳの入力操作を再び受け付けると、集中制御部１２は照明部１１Ｃを点灯状態から消灯状態に切り替える。
つまり、集中制御部１２は、第１モードの手動モード時に、操作部１８のスイッチ１８Ｅ、１８Ｆ、１８Ｇに対する利用者ＵＳの入力操作に応じて、相関色温度が５０００ケルビン以上かつ眼前照度が４００ルクス以上の光環境がダイニング空間ＤＳに形成される照明部１１Ａ、１１Ｂ、１１Ｃの点灯状態と、照明部１１Ａ、１１Ｂ、１１Ｃの消灯状態との切り替えを実行する。
【００４８】
図１〜図３に示す例では、時刻設定部１８Ｈは、集中制御部１２が第１モードの自動モードに設定されている場合に照明部１１Ａ、１１Ｂ、１１Ｃの点灯状態（詳細には、強い光を照射する点灯状態）が開始する開始時刻を設定するための利用者ＵＳの入力操作を受け付ける。また、時刻設定部１８Ｈは、集中制御部１２が第１モードの自動モードに設定されている場合に照明部１１Ａ、１１Ｂ、１１Ｃの点灯状態（詳細には、強い光を照射する点灯状態）が終了する終了時刻を設定するための利用者ＵＳの入力操作を受け付ける。
開始時刻および終了時刻が予め設定されている場合であって、集中制御部１２が第１モードの自動モードに設定されている場合には、開始時刻になると、スイッチ１８Ｅ、１８Ｆ、１８Ｇに対する利用者ＵＳの入力操作が無くても、集中制御部１２は照明部１１Ａ、１１Ｂ、１１Ｃを点灯状態にし、照明部１１Ａ、１１Ｂ、１１Ｃが強い光を照射する。その結果、相関色温度が５０００ケルビン以上であって、利用者ＵＳの眼の位置の鉛直面ＶＰの照度（眼前照度）が４００ルクス以上の光環境が、ダイニング空間ＤＳに形成される。
次いで、終了時刻になると、スイッチ１８Ｅ、１８Ｆ、１８Ｇに対する利用者ＵＳの入力操作が無くても、集中制御部１２は照明部１１Ａ、１１Ｂ、１１Ｃを点灯状態から消灯状態に切り替える。
【００４９】
次に、利用者ＵＳによる第１実施形態の住宅１の利用方法の各例について説明する。
下記の例（第１例〜第４例）では、利用者ＵＳが、何時に起床する場合に、どの時間帯に、照明部１１Ａ、１１Ｂ、１１Ｃを、強い光を照射する点灯状態にすれば、睡眠の質を向上させることができるか、についての知識を有する。
【００５０】
第１例では、利用者ＵＳが、６時３０分に起床し、２３時３０分に就寝する「朝型利用者」である。また、利用者ＵＳは、集中制御部１２を第１モードの手動モードで動作させる。
９時００分に、利用者ＵＳは、操作部１８の設定ボタン１８Ａに対する入力操作を行う。その結果、集中制御部１２が第１モードに設定される。また、利用者ＵＳは、操作部１８の設定ボタン１８Ｃに対する入力操作を行う。その結果、集中制御部１２が第１モードの手動モードに設定される。
また、９時００分に、利用者ＵＳは、操作部１８のスイッチ１８Ｅに対する入力操作を行う。その結果、集中制御部１２が照明部１１Ａを点灯状態にし、照明部１１Ａが強い光を照射する。また、利用者ＵＳは、操作部１８のスイッチ１８Ｆに対する入力操作を行う。その結果、集中制御部１２が照明部１１Ｂを点灯状態にし、照明部１１Ｂが強い光を照射する。同様に、利用者ＵＳは、操作部１８のスイッチ１８Ｇに対する入力操作を行う。その結果、集中制御部１２が照明部１１Ｃを点灯状態にし、照明部１１Ｃが強い光を照射する。
【００５１】
利用者ＵＳは、９時００分から１５時００分まで、利用者ＵＳの睡眠の質を向上させる光環境が形成されたダイニング空間ＤＳ内で行動する。
１５時００分に、利用者ＵＳは、操作部１８のスイッチ１８Ｅに対する入力操作を行う。その結果、集中制御部１２が照明部１１Ａを点灯状態から消灯状態に切り替える。また、利用者ＵＳは、操作部１８のスイッチ１８Ｆに対する入力操作を行う。その結果、集中制御部１２が照明部１１Ｂを点灯状態から消灯状態に切り替える。同様に、利用者ＵＳは、操作部１８のスイッチ１８Ｇに対する入力操作を行う。その結果、集中制御部１２が照明部１１Ｃを点灯状態から消灯状態に切り替える。
【００５２】
次いで、１７時００分（例えば日没時）に、利用者ＵＳは、操作部１８の設定ボタン１８Ｂに対する入力操作を行う。その結果、集中制御部１２が、第２モードに設定される（つまり、第１モードから第２モードに切り替えられる）。
また、１７時００分に、利用者ＵＳは、操作部１８のスイッチ１８Ｅに対する入力操作を行う。その結果、集中制御部１２が照明部１１Ａを点灯状態にし、照明部１１Ａが第１モード時より弱い光を照射する。また、利用者ＵＳは、操作部１８のスイッチ１８Ｆに対する入力操作を行う。その結果、集中制御部１２が照明部１１Ｂを点灯状態にし、照明部１１Ｂが第１モード時より弱い光を照射する。同様に、利用者ＵＳは、操作部１８のスイッチ１８Ｇに対する入力操作を行う。その結果、集中制御部１２が照明部１１Ｃを点灯状態にし、照明部１１Ｃが第１モード時より弱い光を照射する。
【００５３】
利用者ＵＳは、１７時００分から２３時３０分まで、利用者ＵＳの通常の生活に適した光環境が形成されたダイニング空間ＤＳ内で行動する。
２３時３０分に、利用者ＵＳは、操作部１８のスイッチ１８Ｅに対する入力操作を行う。その結果、集中制御部１２が照明部１１Ａを点灯状態から消灯状態に切り替える。また、利用者ＵＳは、操作部１８のスイッチ１８Ｆに対する入力操作を行う。その結果、集中制御部１２が照明部１１Ｂを点灯状態から消灯状態に切り替える。同様に、利用者ＵＳは、操作部１８のスイッチ１８Ｇに対する入力操作を行う。その結果、集中制御部１２が照明部１１Ｃを点灯状態から消灯状態に切り替える。
【００５４】
上述した第１例では、利用者ＵＳは、９時００分から１５時００分までの時間帯にダイニング空間ＤＳに形成された光環境によって、２３時３０分から６時３０分までの睡眠の質を向上させることができる。
【００５５】
第２例では、利用者ＵＳが、１２時３０分に起床し、５時３０分に就寝する「夜型利用者」である。また、利用者ＵＳは、集中制御部１２を第１モードの手動モードで動作させる。
１５時００分に、利用者ＵＳは、操作部１８の設定ボタン１８Ａに対する入力操作を行う。その結果、集中制御部１２が第１モードに設定される。また、利用者ＵＳは、操作部１８の設定ボタン１８Ｃに対する入力操作を行う。その結果、集中制御部１２が第１モードの手動モードに設定される。
また、１５時００分に、利用者ＵＳは、操作部１８のスイッチ１８Ｅに対する入力操作を行う。その結果、集中制御部１２が照明部１１Ａを点灯状態にし、照明部１１Ａが強い光を照射する。また、利用者ＵＳは、操作部１８のスイッチ１８Ｆに対する入力操作を行う。その結果、集中制御部１２が照明部１１Ｂを点灯状態にし、照明部１１Ｂが強い光を照射する。同様に、利用者ＵＳは、操作部１８のスイッチ１８Ｇに対する入力操作を行う。その結果、集中制御部１２が照明部１１Ｃを点灯状態にし、照明部１１Ｃが強い光を照射する。
【００５６】
利用者ＵＳは、１５時００分から２１時００分まで、利用者ＵＳの睡眠の質を向上させる光環境が形成されたダイニング空間ＤＳ内で行動する。
２１時００分に、利用者ＵＳは、操作部１８の設定ボタン１８Ｂに対する入力操作を行う。その結果、集中制御部１２が、第２モードに設定される（つまり、第１モードから第２モードに切り替えられる）。
それに伴って、照明部１１Ａが照射する光が、強い光から弱い光に切り替わる。また、照明部１１Ｂが照射する光が、強い光から弱い光に切り替わる。同様に、照明部１１Ｃが照射する光が、強い光から弱い光に切り替わる。
【００５７】
利用者ＵＳは、２１時００分から５時３０分まで、利用者ＵＳの通常の生活に適した光環境が形成されたダイニング空間ＤＳ内で行動する。
５時３０分に、利用者ＵＳは、操作部１８のスイッチ１８Ｅに対する入力操作を行う。その結果、集中制御部１２が照明部１１Ａを点灯状態から消灯状態に切り替える。また、利用者ＵＳは、操作部１８のスイッチ１８Ｆに対する入力操作を行う。その結果、集中制御部１２が照明部１１Ｂを点灯状態から消灯状態に切り替える。同様に、利用者ＵＳは、操作部１８のスイッチ１８Ｇに対する入力操作を行う。その結果、集中制御部１２が照明部１１Ｃを点灯状態から消灯状態に切り替える。
【００５８】
上述した第２例では、利用者ＵＳは、１５時００分から２１時００分までの時間帯にダイニング空間ＤＳに形成された光環境によって、５時３０分から１２時３０分までの睡眠の質を向上させることができる。
【００５９】
第３例では、利用者ＵＳが、６時３０分に起床し、２３時３０分に就寝する「朝型利用者」である。また、利用者ＵＳは、集中制御部１２を第１モードの自動モードで動作させる。
例えば６時３０分に、利用者ＵＳは、操作部１８の設定ボタン１８Ａに対する入力操作を行う。その結果、集中制御部１２が第１モードに設定される。また、利用者ＵＳは、操作部１８の設定ボタン１８Ｄに対する入力操作を行う。その結果、集中制御部１２が第１モードの自動モードに設定される。
また、利用者ＵＳは、操作部１８の時刻設定部１８Ｈに対する入力操作を行う。詳細には、利用者ＵＳは、照明部１１Ａ、１１Ｂ、１１Ｃが強い光を照射する点灯状態になる時刻を９時００分に予め設定する。また、利用者ＵＳは、照明部１１Ａ、１１Ｂ、１１Ｃの点灯状態（強い光を照射する点灯状態）が終了する時刻を１５時００分に予め設定する。
次いで、９時００分になると、集中制御部１２が照明部１１Ａを点灯状態にし、照明部１１Ａが強い光を照射する。また、集中制御部１２が照明部１１Ｂを点灯状態にし、照明部１１Ｂが強い光を照射する。同様に、集中制御部１２が照明部１１Ｃを点灯状態にし、照明部１１Ｃが強い光を照射する。
【００６０】
利用者ＵＳは、９時００分から１５時００分まで、利用者ＵＳの睡眠の質を向上させる光環境が形成されたダイニング空間ＤＳ内で行動する。
次いで、１５時００分になると、集中制御部１２が照明部１１Ａを点灯状態から消灯状態に切り替える。また、集中制御部１２が照明部１１Ｂを点灯状態から消灯状態に切り替える。同様に、集中制御部１２が照明部１１Ｃを点灯状態から消灯状態に切り替える。
【００６１】
次いで、１７時００分（例えば日没時）に、利用者ＵＳは、操作部１８の設定ボタン１８Ｂに対する入力操作を行う。その結果、集中制御部１２が、第２モードに設定される（つまり、第１モードから第２モードに切り替えられる）。
また、１７時００分に、利用者ＵＳは、操作部１８のスイッチ１８Ｅに対する入力操作を行う。その結果、集中制御部１２が照明部１１Ａを点灯状態にし、照明部１１Ａが第１モード時より弱い光を照射する。また、利用者ＵＳは、操作部１８のスイッチ１８Ｆに対する入力操作を行う。その結果、集中制御部１２が照明部１１Ｂを点灯状態にし、照明部１１Ｂが第１モード時より弱い光を照射する。同様に、利用者ＵＳは、操作部１８のスイッチ１８Ｇに対する入力操作を行う。その結果、集中制御部１２が照明部１１Ｃを点灯状態にし、照明部１１Ｃが第１モード時より弱い光を照射する。
【００６２】
利用者ＵＳは、１７時００分から２３時３０分まで、利用者ＵＳの通常の生活に適した光環境が形成されたダイニング空間ＤＳ内で行動する。
２３時３０分に、利用者ＵＳは、操作部１８のスイッチ１８Ｅに対する入力操作を行う。その結果、集中制御部１２が照明部１１Ａを点灯状態から消灯状態に切り替える。また、利用者ＵＳは、操作部１８のスイッチ１８Ｆに対する入力操作を行う。その結果、集中制御部１２が照明部１１Ｂを点灯状態から消灯状態に切り替える。同様に、利用者ＵＳは、操作部１８のスイッチ１８Ｇに対する入力操作を行う。その結果、集中制御部１２が照明部１１Ｃを点灯状態から消灯状態に切り替える。
【００６３】
上述した第３例では、利用者ＵＳは、９時００分から１５時００分までの時間帯にダイニング空間ＤＳに形成された光環境によって、２３時３０分から６時３０分までの睡眠の質を向上させることができる。
【００６４】
第４例では、利用者ＵＳが、１２時３０分に起床し、５時３０分に就寝する「夜型利用者」である。また、利用者ＵＳは、集中制御部１２を第１モードの自動モードで動作させる。
例えば１２時３０分に、利用者ＵＳは、操作部１８の設定ボタン１８Ａに対する入力操作を行う。その結果、集中制御部１２が第１モードに設定される。また、利用者ＵＳは、操作部１８の設定ボタン１８Ｄに対する入力操作を行う。その結果、集中制御部１２が第１モードの自動モードに設定される。
また、利用者ＵＳは、操作部１８の時刻設定部１８Ｈに対する入力操作を行う。詳細には、利用者ＵＳは、照明部１１Ａ、１１Ｂ、１１Ｃが強い光を照射する点灯状態になる時刻を１５時００分に予め設定する。また、利用者ＵＳは、照明部１１Ａ、１１Ｂ、１１Ｃの点灯状態（強い光を照射する点灯状態）が終了する時刻を２１時００分に予め設定する。
次いで、１５時００分になると、集中制御部１２が照明部１１Ａを点灯状態にし、照明部１１Ａが強い光を照射する。また、集中制御部１２が照明部１１Ｂを点灯状態にし、照明部１１Ｂが強い光を照射する。同様に、集中制御部１２が照明部１１Ｃを点灯状態にし、照明部１１Ｃが強い光を照射する。
【００６５】
利用者ＵＳは、１５時００分から２１時００分まで、利用者ＵＳの睡眠の質を向上させる光環境が形成されたダイニング空間ＤＳ内で行動する。
２１時００分に、利用者ＵＳは、操作部１８の設定ボタン１８Ｂに対する入力操作を行う。その結果、集中制御部１２が、第２モードに設定される（つまり、第１モードから第２モードに切り替えられる）。
それに伴って、照明部１１Ａが照射する光が、強い光から弱い光に切り替わる。また、照明部１１Ｂが照射する光が、強い光から弱い光に切り替わる。同様に、照明部１１Ｃが照射する光が、強い光から弱い光に切り替わる。
【００６６】
利用者ＵＳは、２１時００分から５時３０分まで、利用者ＵＳの通常の生活に適した光環境が形成されたダイニング空間ＤＳ内で行動する。
５時３０分に、利用者ＵＳは、操作部１８のスイッチ１８Ｅに対する入力操作を行う。その結果、集中制御部１２が照明部１１Ａを点灯状態から消灯状態に切り替える。また、利用者ＵＳは、操作部１８のスイッチ１８Ｆに対する入力操作を行う。その結果、集中制御部１２が照明部１１Ｂを点灯状態から消灯状態に切り替える。同様に、利用者ＵＳは、操作部１８のスイッチ１８Ｇに対する入力操作を行う。その結果、集中制御部１２が照明部１１Ｃを点灯状態から消灯状態に切り替える。
【００６７】
上述した第４例では、利用者ＵＳは、１５時００分から２１時００分までの時間帯にダイニング空間ＤＳに形成された光環境によって、５時３０分から１２時３０分までの睡眠の質を向上させることができる。
【００６８】
次に、第１実施形態の住宅１の建築設計方法の一例について説明する。
図４は第１実施形態の住宅１の建築設計方法の一例を説明するためのフローチャートである。
図４に示す例では、ステップＳ１において、住宅１のダイニング空間ＤＳを画定する床部１７と天井部１４と壁部１３と窓部１５とが設置される。
次いで、ステップＳ２において、天井部１４の内装仕上げ材としての高反射率部１４Ａと、壁部１３の内装仕上げ材としての高反射率部１３Ａとが設置される。
次いで、ステップＳ３において、窓部１５を覆う付帯部１６が設置される。
次いで、ステップＳ４において、付帯部１６の内装仕上げ材としての高反射率部１６Ａが設置される。
次いで、ステップＳ５において、調色および調光可能な複数の照明部１１Ａ、１１Ｂ、１１Ｃがダイニング空間ＤＳに配置される。
次いで、ステップＳ６において、複数の照明部１１Ａ、１１Ｂ、１１Ｃの点灯を集中制御する集中制御部１２と、集中制御部１２の第１モードと第２モードとの切り替えを行う入力操作などを受け付ける操作部１８とが設置される。
【００６９】
上述したように、第１実施形態の住宅１の図１〜図４に示す例では、集中制御部１２が、照明部１１Ａから照射された光、照明部１１Ａから照射され、天井部１４の高反射率部１４Ａにより反射された光、照明部１１Ｂから照射され、壁部１３の高反射率部１３Ａにより反射された光、および、照明部１１Ｃから照射され、付帯部１６の高反射率部１６Ａにより反射された光によって、相関色温度が５０００ケルビン以上であって、利用者ＵＳの眼の位置の鉛直面ＶＰの照度である眼前照度が４００ルクス以上の光環境がダイニング空間ＤＳに形成されるように、複数の照明部１１Ａ、１１Ｂ、１１Ｃを集中制御する第１モードを有する。
そのため、第１実施形態の住宅１の図１〜図４に示す例では、相関色温度が５０００ケルビン以上かつ眼前照度が４００ルクス以上の光環境がダイニング空間ＤＳに形成されるように、集中制御部１２が照明部１１Ａ、１１Ｂ、１１Ｃの点灯を集中制御することによって、ダイニング空間ＤＳの利用者ＵＳは、昼間に太陽光を浴びる必要なく、睡眠の質を向上させることができる。
つまり、第１実施形態の住宅１の図１〜図４に示す例では、相関色温度が５０００ケルビン以上かつ眼前照度が４００ルクス以上の光環境がダイニング空間ＤＳに形成されるように照明部１１Ａ、１１Ｂ、１１Ｃの点灯を集中制御することによって、相関色温度が５０００ケルビン以上かつ眼前照度が４００ルクス以上の光環境がダイニング空間ＤＳに形成されない場合よりも、ダイニング空間ＤＳの利用者ＵＳの睡眠の質を向上させることができる。
【００７０】
また、上述したように、第１実施形態の住宅１では、第２モード時に、集中制御部１２は、照明部１１Ａから照射された光、照明部１１Ａから照射され、天井部１４の高反射率部１４Ａにより反射された光、照明部１１Ｂから照射され、壁部１３の高反射率部１３Ａにより反射された光、および、照明部１１Ｃから照射され、付帯部１６の高反射率部１６Ａにより反射された光によって、相関色温度が５０００ケルビン未満または眼前照度が４００ルクス未満の光環境がダイニング空間ＤＳに形成されるように、複数の照明部１１Ａ、１１Ｂ、１１Ｃの点灯を集中制御する。また、操作部１８は、第１モードと第２モードとの切り替えを行う利用者ＵＳの入力操作を受け付ける。
そのため、第１実施形態の住宅１では、第１モード時にダイニング空間ＤＳの利用者ＵＳの睡眠の質を向上させる光環境を形成することができると共に、第２モード時にダイニング空間ＤＳにおける利用者ＵＳの通常の生活に適した光環境を形成することができる。
また、第１実施形態の住宅１では、ダイニング空間ＤＳにおける利用者ＵＳの通常の生活に適した光環境を形成する照明部とは別個に、ダイニング空間ＤＳの利用者ＵＳの睡眠の質を向上させる光環境を形成する照明部が設けられる場合よりも、住宅１のコストアップを抑制することができる。
つまり、第１実施形態の住宅１では、ダイニング空間ＤＳの利用者ＵＳの睡眠の質を向上させるための特別な照明部の設置に伴う住宅１のコストアップを抑制しつつ、ダイニング空間ＤＳの利用者ＵＳの睡眠の質を向上させる光環境を形成することができる。
【００７１】
また、上述したように、第１実施形態の住宅１では、集中制御部１２の第１モードに手動モードが含まれる。集中制御部１２は、第１モードの手動モード時に、操作部１８に対する入力操作に応じて、相関色温度が５０００ケルビン以上かつ眼前照度が４００ルクス以上の光環境がダイニング空間ＤＳに形成される照明部１１Ａ、１１Ｂ、１１Ｃの点灯状態と、照明部１１Ａ、１１Ｂ、１１Ｃの消灯状態との切り替えを実行する。また、集中制御部１２は、第２モード時に、操作部１８に対する入力操作に応じて、相関色温度が５０００ケルビン未満または眼前照度が４００ルクス未満の光環境がダイニング空間ＤＳに形成される照明部１１Ａ、１１Ｂ、１１Ｃの点灯状態と、照明部１１Ａ、１１Ｂ、１１Ｃの消灯状態との切り替えを実行する。
そのため、第１実施形態の住宅１では、ダイニング空間ＤＳの利用者ＵＳが、第１モードの手動モード時に入力操作を行うことによって、照明部１１Ａ、１１Ｂ、１１Ｃを点灯状態にして、睡眠の質を向上させる光環境を形成することができる。
また、第１実施形態の住宅１では、ダイニング空間ＤＳの利用者ＵＳが、第１モードの手動モード時に入力操作を行うことによって、照明部１１Ａ、１１Ｂ、１１Ｃを消灯状態にすることができる。
また、第１実施形態の住宅１では、ダイニング空間ＤＳの利用者ＵＳが、第２モード時に入力操作を行うことによって、照明部１１Ａ、１１Ｂ、１１Ｃを点灯状態にして、通常の生活に適した光環境を形成することができる。
また、第１実施形態の住宅１では、ダイニング空間ＤＳの利用者ＵＳが、第２モード時に入力操作を行うことによって、照明部１１Ａ、１１Ｂ、１１Ｃを消灯状態にすることができる。
【００７２】
また、上述したように、第１実施形態の住宅１では、集中制御部１２の第１モードに自動モードが含まれる。第１モードの自動モード時には、集中制御部１２が、予め設定された第１時刻（開始時刻）に、照明部１１Ａ、１１Ｂ、１１Ｃを、相関色温度が５０００ケルビン以上かつ眼前照度が４００ルクス以上の光環境がダイニング空間ＤＳに形成される点灯状態にする。次いで、予め設定された第２時刻（終了時刻）に、集中制御部１２が、照明部１１Ａ、１１Ｂ、１１Ｃを点灯状態から消灯状態に切り替える。
そのため、第１実施形態の住宅１では、ダイニング空間ＤＳの利用者ＵＳが、第１時刻（開始時刻）を予め設定することによって、第１モードの自動モード時に、照明部１１Ａ、１１Ｂ、１１Ｃを点灯状態にするための入力操作を行う必要なく、相関色温度が５０００ケルビン以上かつ眼前照度が４００ルクス以上の光環境をダイニング空間ＤＳに形成することができる。
また、第１実施形態の住宅１では、ダイニング空間ＤＳの利用者ＵＳが、第２時刻（終了時刻）を予め設定することによって、第１モードの自動モード時に、照明部１１Ａ、１１Ｂ、１１Ｃを消灯状態にするための入力操作を行う必要なく、照明部１１Ａ、１１Ｂ、１１Ｃを点灯状態から消灯状態に切り替えることができる。
【００７３】
また、上述したように、第１実施形態の住宅１では、複数の照明部１１Ａ、１１Ｂ、１１Ｃには、直接照明である照明部１１Ａと、間接照明である照明部１１Ｂと、間接照明である照明部１１Ｃとが含まれる。照明部１１Ｂから照射された光は、直射光として鉛直面ＶＰに到達せず、壁部１３の高反射率部１３Ａによって反射された反射光として鉛直面ＶＰに到達する。また、照明部１１Ｃから照射された光は、直射光として鉛直面ＶＰに到達せず、付帯部１６の高反射率部１６Ａによって反射された反射光として鉛直面ＶＰに到達する。
そのため、第１実施形態の住宅１では、壁部１３の高反射率部１３Ａにおいて反射される光を照射する間接照明（照明部１１Ｂ）が設けられていない場合、または、付帯部１６の高反射率部１６Ａにおいて反射される光を照射する間接照明（照明部１１Ｃ）が設けられていない場合よりも容易に、眼前照度（ダイニング空間ＤＳの利用者ＵＳの眼の位置の鉛直面ＶＰの照度）を４００ルクス以上にすることができる。
【００７４】
また、上述したように、第１実施形態の住宅１では、ダイニング空間ＤＳを画定する窓部１５と、窓部１５を覆う付帯部１６とが備えられている。付帯部１６は、付帯部１６の内装仕上げ材として、可視光反射率が０．４以上である高反射率部１６Ａを備えている。また、照明部１１Ａから照射された光、照明部１１Ａから照射され、天井部１４の高反射率部１４Ａにより反射された光、照明部１１Ｂから照射され、壁部１３の高反射率部１３Ａにより反射された光、および、照明部１１Ｃから照射され、付帯部１６の高反射率部１６Ａにより反射された光によって、相関色温度が５０００ケルビン以上であって、利用者ＵＳの眼の位置の鉛直面ＶＰの照度である眼前照度が４００ルクス以上の光環境がダイニング空間ＤＳに形成される。
そのため、第１実施形態の住宅１では、相関色温度が５０００ケルビン以上かつ眼前照度が４００ルクス以上の光環境をダイニング空間ＤＳに形成するために高反射率部１６Ａによって反射された光が用いられない場合よりも、複数の照明部１１Ａ、１１Ｂ、１１Ｃの出力を抑制することができる。
【００７５】
また、上述したように、第１実施形態の住宅１では、ダイニング空間ＤＳを画定する天井部１４が備えられている。天井部１４は、天井部１４の内装仕上げ材として、可視光反射率が０．４以上である高反射率部１４Ａを備えている。また、照明部１１Ａから照射された光、照明部１１Ａから照射され、天井部１４の高反射率部１４Ａにより反射された光、照明部１１Ｂから照射され、壁部１３の高反射率部１３Ａにより反射された光、および、照明部１１Ｃから照射され、付帯部１６の高反射率部１６Ａにより反射された光によって、相関色温度が５０００ケルビン以上であって、利用者ＵＳの眼の位置の鉛直面ＶＰの照度である眼前照度が４００ルクス以上の光環境がダイニング空間ＤＳに形成される。
そのため、第１実施形態の住宅１では、相関色温度が５０００ケルビン以上かつ眼前照度が４００ルクス以上の光環境をダイニング空間ＤＳに形成するために高反射率部１４Ａによって反射された光が用いられない場合よりも、複数の照明部１１Ａ、１１Ｂ、１１Ｃの出力を抑制することができる。
【００７６】
＜第２実施形態＞
以下、本発明の住宅および住宅の建築設計方法の第２実施形態について説明する。
第２実施形態の住宅１は、後述する点を除き、上述した第１実施形態の住宅１と同様に構成されている。従って、第２実施形態の住宅１によれば、後述する点を除き、上述した第１実施形態の住宅１と同様の効果を奏することができる。
【００７７】
図５は第２実施形態の住宅１の一例を示す図である。図６は第２実施形態の住宅１の照明部１１Ａ、１１Ｂ、１１Ｃと集中制御部１２との関係の一例を示す機能ブロック図である。
図１〜図３に示す例では、住宅１が、複数の照明部１１Ａ、１１Ｂ、１１Ｃと、集中制御部１２と、壁部１３と、天井部１４と、窓部１５と、付帯部１６と、床部１７と、操作部１８とを備えているが、図５および図６に示す例では、住宅１が、複数の照明部１１Ａ、１１Ｂ、１１Ｃと、集中制御部１２と、壁部１３と、天井部１４と、窓部１５と、付帯部１６と、床部１７とを備えている。つまり、図５および図６に示す例では、集中制御部１２が、図１〜図３に示す例の集中制御部１２の機能と操作部１８の機能とを備えている。
【００７８】
つまり、図５および図６に示す例では、集中制御部１２が、集中制御部１２の第１モードと第２モードとの切り替えを行う入力操作などを受け付ける。集中制御部１２は、設定ボタン１８Ａ、１８Ｂ、１８Ｃ、１８Ｄと、スイッチ１８Ｅ、１８Ｆ、１８Ｇと、時刻設定部１８Ｈとを備えている。
【００７９】
図５および図６に示す例では、集中制御部１２が第１モードの手動モードに設定されている場合に、集中制御部１２のスイッチ１８Ｅ、１８Ｆ、１８Ｇに対する利用者ＵＳの入力操作に応じて、照明部１１Ａ、１１Ｂ、１１Ｃが点灯状態にされると、ダイニング空間ＤＳには、相関色温度が５０００ケルビン以上であって、利用者ＵＳの眼の位置の鉛直面ＶＰの照度（眼前照度）が４００ルクス以上の光環境が形成される。
詳細には、集中制御部１２は、第１モードの手動モード時に、集中制御部１２のスイッチ１８Ｅ、１８Ｆ、１８Ｇに対する利用者ＵＳの入力操作に応じて、相関色温度が５０００ケルビン以上かつ眼前照度が４００ルクス以上の光環境がダイニング空間ＤＳに形成される照明部１１Ａ、１１Ｂ、１１Ｃの点灯状態と、照明部１１Ａ、１１Ｂ、１１Ｃの消灯状態との切り替えを実行する。
【００８０】
上述したように、本発明は、住宅空間内で例えば起床から午前中の時間帯の光環境において、居住者が所定の光量を暴露し、かつ、心理的にも快適な光環境を提供することで、睡眠の質を高める居住環境を具現化するものである。詳細には、本発明は、起床後最も居住者の滞在時間の長いダイニング空間に着目し、かつ水平面照度ではなく、居住者の眼前照度となる鉛直面照度に着目し、かつ、居住者が簡便に照明制御できる技術に関するものである。
本発明によれば、住宅のダイニング空間において、睡眠の質を向上させる例えば起床から午前中の時間帯の光環境を生成することができる。詳細には、人が生活する場所の例えば起床から午前中の時間帯において、生体リズムに好ましい光環境と使用上の煩雑さの解消とを両立させることができる。
また、本発明によれば、メラトニンの分泌バランスを従来と比べて最適な概日変化をもたらすことができる。
【００８１】
上述した「ダイニング空間ＤＳ」には、一般的にダイニング、キッチン、リビング、リビングダイニング（ＬＤ）、ダイニングキッチン（ＤＫ）、リビングダイニングキッチン（ＬＤＫ）と称されている生活空間が含まれる。
【００８２】
以上、本発明を実施するための形態について実施形態を用いて説明したが、本発明はこうした実施形態に何等限定されるものではなく、本発明の要旨を逸脱しない範囲内において種々の変形及び置換を加えることができる。上述した各実施形態および各例に記載の構成を適宜組み合わせてもよい。
【００８３】
なお、上述した実施形態における住宅１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００８４】
１…住宅、１１Ａ…照明部、１１Ｂ…照明部、１１Ｃ…照明部、１２…集中制御部、１３…壁部、１３Ａ…高反射率部、１４…天井部、１４Ａ…高反射率部、１５…窓部、１６…付帯部、１６Ａ…高反射率部、１７…床部、１８…操作部、１８Ａ…設定ボタン、１８Ｂ…設定ボタン、１８Ｃ…設定ボタン、１８Ｄ…設定ボタン、１８Ｅ…スイッチ、１８Ｆ…スイッチ、１８Ｇ…スイッチ、１８Ｈ…時刻設定部、ＤＳ…ダイニング空間、ＤＴ…ダイニングテーブル、ＳＰ…着座位置、ＶＰ…鉛直面、ＵＳ…利用者
【図１】
2020072022.tif 000003
【図２】
2020072022.tif 000004
【図３】
2020072022.tif 000005
【図４】
2020072022.tif 000006
【図５】
2020072022.tif 000007
【図６】
2020072022.tif 000008